(57)【要約】【課題】集積した新聞等を簡単にくくって運ぶことのできる運搬用具の提供を課題とする。【解決手段】帯状又はひも状体にて輪状体を形成し、輪状体をその円周方向で2等分することで形成された２つの円弧部分につき、そのそれぞれの中央部に面ファスナー２ａ、２ｂなどを設け、当該中央部分を互いに交差状態として、面ファスナーで結合して、中央部結合時に８字状とし、交差部分を新聞の集積体の下に敷いた状態で、２つの輪状態の部分を積層体の側面に沿うように立ち上げ、２つの輪状態の部分を片手で併せて持つことで、２つの輪状態の部分が新聞の集積体を簡単にくくって持ち上げるようにした。【選択図】図３
2007230636.tif 000002
【特許請求の範囲】
【請求項１】
帯状又はひも状体にて形成した輪状体において、その輪状体をその円周方向で2等分する
ことで形成された２つの円弧部分につき、そのそれぞれの中央部を互いに交差状態で結合して、中央部結合時に８字状をなす物品の運搬用具。
【請求項２】
２つの円弧部分のそれぞれの中央部を互いに着脱自在に結合したことを特徴とする請求項１記載の物品の運搬用具。
【請求項３】
２つの円弧部分のそれぞれの中央部を互いに回動自在に結合したことを特徴とする請求項１記載の物品の運搬用具。
【請求項４】
一本の帯状又はひも状体の長さ方向4分の１相当の部分と、4分の３相当の部分とに、それぞれ互いに着脱自在な第1及び第2の係着具をそれぞれ備えるとともに、当該一本の帯状又はひも状体の両端にも互いに着脱自在な第3及び第4の係着具を備えた、物品の運搬用具。
【請求項５】
一本の帯状又はひも状体の長さ方向4分の１相当の部分と、4分の３相当の部分とを互いに交差するように結合するとともに、当該一本の帯状又はひも状体の両端を互いに連結してなる、物品の運搬用具。
【請求項６】
一本の帯状又はひも状体の両端を結合して輪状にし、その輪をつぶしたとき互いに重なりあう対向する帯状又はひも状体において、長さ方向の中央部分を互いに交差した状態で着脱自在に結合する第1及び第2の係着具を、対向する帯状又はひも状体の長さ方向中央部分に設けた、物品の運搬用具。
【請求項７】
一本の帯状又はひも状体の両端を結合して輪状にし、その輪をつぶしたとき互いに重なりあう対向する帯状又はひも状体において、長さ方向の中央部分を互いに回動可能に結合する回動係止部を、対向する帯状又はひも状体の長さ方向中央部分に設けた、物品の運搬用具。
【発明の詳細な説明】
【技術分野】
【０００１】
本発明は、新聞、雑誌等を重ねてまとめたものや、その程度の大きさの物品を簡単に運搬することに資する運搬用具に関する。
【背景技術】
【０００２】
従来より、新聞や雑誌の回収にあたっては、４つ折りにした新聞や雑誌を重ねて積み上げ、これをひもでくくって縛り、回収業者に引き渡すことが通常であった。また、新聞社によっては、４つ折りにした新聞を収納できる紙製の袋を各家庭に配布し、この袋内に新聞を重ねて積み上げ収納して、そのまま、あるいは、ひもでくくって縛るなどして、回収に供していた。
【０００３】
いずれにせよ、荷造り用のひもでくくることが多いが、ひもでくくって縛った場合、縛り目がゆるむなどで、積み上げていた新聞・雑誌が崩れてしまうことも多かった。紙製の袋に入れた場合、崩れることは少ないが、今度は、ひもでくくらない限り運搬が容易ではないし、ひもでくくったとしても、ひもでくくる不便さや、運びにくさという問題があった。
【０００４】
ところで、新聞・雑誌を荷造りする場合、これを容易にするためのロープとして、二本のロープを対にならべ、結合部で結合しそのあいだに隙を設けた荷造り用ツインロープが知られている（特許文献１）。
【０００５】
これは、これまでのロープと同じようにロープをまわし、ロープを結ぶところでツイン
ロープを他方の隙に通しそれを交互に数度繰り返してからツインロープを引くことによって小さな力で大きな牽引力を得ようとするものである。
【特許文献１】特開２０００−１８５７５９号公報
【発明の開示】
【発明が解決しようとする課題】
【０００６】
ところで、このような、荷造り用ロープでは、ロープを古新聞周りでまわし、ロープを結ぶところでツインロープを他方の隙に通しそれを交互に数度繰り返すという作業を行うことで、小さな力で大きな牽引力を得ることができるが、各家庭でこれを使ってもらえればよいが、そのような期待をもてず、古新聞回収にあたってこれを新聞回収業者が使用するのでは、面倒である。回収側としては、このような面倒を避け、回収用のトラックまで、古新聞等を崩さずにすばやく運ぶことが重要である。
【０００７】
本発明は、このような背景の下なされたもので、新聞や雑誌の回収の際に、集積した新聞等を簡単にくくって運ぶことのできる運搬用具の提供を課題とする。
【課題を解決するための手段】
【０００８】
前記課題を達成するために本発明は、次の手段を採用した。
【０００９】
簡単に言えば、帯状又はひも状体にて形成した輪状体において、その輪状体をその円周方向で2等分することで形成された２つの円弧部分につき、そのそれぞれの中央部を互い
に交差状態で結合して、中央部結合時に８字状をなすものであり、物品を交差部分で下支えする物品の運搬用具である。
【００１０】
２つの円弧部分中央部は、面ファスナーなどの係止具で互いに着脱自在に結合したり、
ホックやひもなどで回動自在に結合すると、使用しないときには、２つの円弧部分を重ねて畳むことができる。
【００１１】
２本の帯状又はひも状体の交差部分を新聞の集積体の下に敷いた状態で、２つの輪状態
の部分を積層体の側面に沿うように立ち上げ、２つの輪状態の部分を片手で併せて持つことで、２つの輪状態の部分が新聞の集積体を簡単にくくって持ち上げることができる。
本発明では、このような状態の運搬用具を構成するため、より具体的な構成として、以下のような構成としている。各構成は、主に交差部分の構成が異なるもので、原理構成としては上記と同様である。
【００１２】
(1)  一本の帯状又はひも状体の長さ方向4分の１相当の部分と、4分の３相当の部分とに、それぞれ互いに着脱自在な第1及び第2の係着具をそれぞれ備えるとともに、当該一本の帯状又はひも状体の両端にも互いに着脱自在な第3及び第4の係着具を備えた、物品の運搬用具である。
【００１３】
着脱自在な第1及び第2の係着具、着脱自在な第3及び第4の係着具としては、面ファスナー（フック面とループ面からなる）、ホックなどを利用できる。
【００１４】
(2)  一本の帯状又はひも状体の長さ方向4分の１相当の部分と、4分の３相当の部分とを互いに交差するように結合するとともに、当該一本の帯状又はひも状体の両端を互いに連結してなる、物品の運搬用具である。
【００１５】
これは、交差部分を当初から縫い合わせ、又は、結び合わせ等して結合したものである。
【００１６】
(3)  一本の帯状又はひも状体の両端を結合して輪状にし、その輪をつぶしたとき互いに重なりあう対向する帯状又はひも状体において、長さ方向の中央部分を互いに交差した状態で着脱自在に結合する第1及び第2の係着具を、対向する帯状又はひも状体の長さ方向中央部分に設けた、物品の運搬用具である。
【００１７】
ここでいう着脱自在に結合する第1及び第2の係着具も、上記面ファスナーやホックなどである。
【００１８】
(4)  一本の帯状又はひも状体の両端を結合して輪状にし、その輪をつぶしたとき互いに重なりあう対向する帯状又はひも状体において、長さ方向の中央部分を互いに回動可能に結合する回動係止部を、対向する帯状又はひも状体の長さ方向中央部分に設けた、物品の運搬用具である。
【００１９】
ここでいう回動係止部とは、両者を糸やひもにてほぼ一点にてゆるめに連結して互いに回動可能としたものや、回動可能に係止するホックにて結合するようにした構成である。
【００２０】
使用にあたっては、回動係止部を回動させて、帯状又はひも状体を交差させて上記と同様にして新聞を運搬する。
【００２１】
なお、帯状体、ひも状体は、自然素材や合成樹脂性繊維を織って形成した帯状体や、ひも状体、あるいは、皮製の帯やひもを用いることができる。
【発明の効果】
【００２２】
本発明によれば、帯状又はひも状体の交差部分を物品の下に敷いて、帯状又はひも状体のその余の部分を物品の側面に沿わせるように引っ張り上げて持つだけで、物品を支え上
げて持ち上げることができるので、物品を極めて容易にくくって運搬できる。
【００２３】
なお、運搬等する物品は新聞や雑誌に限らず、箱詰めした取手のない荷物、建築現場におけるブロックなど、様々のものを運搬できる。
【発明を実施するための最良の形態】
【００２４】
以下、本発明の最良の実施形態を図面を参照して説明する。
【００２５】
(1)  まず、第1の実施形態を図１〜図３に従い説明する。
【００２６】
ここでは、まず、一本の帯状体１を容易する。その長さは、ほぼ２８０ｃｍで、その長さ方向4分の１相当の部分（端から７０ｃｍの部分）の表面と、4分の３相当の部分（端から２１０ｃｍの部分）の裏面とに、それぞれ互いに着脱自在な第1及び第2の係着具としての面ファスナー２ａ、２ｂ（一方にフック面、他方にループ面）をそれぞれ備えている。当該一本の帯状体１の一端の表面と他端の裏面にも互いに着脱自在な第3及び第4の係着具としての面ファスナー３ａ、３ｂ（一方にフック面、他方にループ面）を備えている。
【００２７】
これを使用するときは、まず、図２のように、第1及び第2の係着具部分で、帯状体１を
交差させて面ファスナー２ａ，２ｂ同士を係合させる。すると、帯状体１が交差した状態に保たれるので、この上に新聞等の集積体４を載せる。次いで、第3及び第4の係着具の面ファスナー同士も係合させる。
【００２８】
すると、図３のように、これらの結果として２つのループが帯状体１にて形成されるの
で、そのループを前記集積体４の側面に沿わせて立ち上げる。これが図４の状態である。そして、２つのループの端を取手として片手で持ち、集積体４を運搬する。新聞等の集積体４は、あらかじめ細いひもでくくっておいてもよいが、新聞4つ折りサイズの底面を有
する紙袋などに入れてあれば、本実施例の運搬具だけで荷崩れなく運搬できる。
【００２９】
(2)  第2の実施形態は、一本の帯状体１の長さ方向4分の１相当の部分と、4分の３相当
の部分とを互いに交差するように結合するとともに、当該一本の帯状体１の両端を互いに連結してなる物品の運搬用具である。すなわち、第1の実施形態でいう、第1及び第2の係
着具部分に相当する帯状体同士を予め交差させて縫い合わせ等して結合した例である。
【００３０】
また、帯状体１の両端も長さ方向でそろえて互いに縫い合わせたものである。特に図示
しないが、図３において面ファスナー２ａ，２ｂ，３ａ，３ｂを省略し、その部分を互いに縫い合わせたものを想定すればよい。使用方法は、上記例と同様である。
【００３１】
(3)  第3の実施形態では、まず、２９０ｃｍの一本の帯状体の両端５ｃｍ部分を結合し
て輪状にする。次いで、その輪をつぶした状態を作ると、１４０ｃｍの２重の帯となる（以上、図５参照）。そこで、互いに重なりあう対向する帯状体の中央部分の対向面に、それぞれ第1及び第2の係着具としての面ファスナー５ａ、５ｂを装着する。
【００３２】
使用する場合、重なった帯状体の長さ方向の中央部分を互いに交差した状態として、第1及び第2の係着具である面ファスナー５ａ、５ｂを互いに係合させる。すると図３と同様
の状態となる。この状態で、新聞・雑誌をこの交差部分に乗せ、後は、図４と同様になるので、リング状となった、その余の帯状体を持って運搬する。
【００３３】
(4)  次に、第４の実施形態を説明する。ここでも、一本の帯状体１の両端を結合して輪状にする点は、上記第３の実施形態の場合と同様である。ただし、ここでは、図６のように、上記例で交差させるべき部分を回動係止部６にて互いに回動可能に結合する。
【００３４】
ここでいう回動係止部６とは、帯状体の交差部分において、ボタンを糸で縫いつけるごとき手法で、両者を糸でほぼ一点にてゆるめに縫い合わせて両者が互いに回動可能にした構成である。
【００３５】
使用にあたっては、回動係止部６を回動させて、帯状体がほぼ90度に交差するようにして、その上に新聞の集積体を乗せ、あとは、上記例と同様にして新聞を運搬する。
【００３６】
(5)  なお、以上の実施形態は、1本の帯状体から本発明品を形成しているが、2本の帯状体の両端を連結するようにしてもよいことはもちろんである。
【００３７】
すなわち、2本の帯状又はひも状体同士をその中央部分で交差させ、２本の帯状又はひ
も状体の４つの端のうち、２つの端同士をつないで２つの輪状態を形成することで、運搬用具を構成するものである。
【００３８】
ただし、連結する部分が少ないほど、製造工程が簡単となるので、一本から構成する方
が安価となる。
【図面の簡単な説明】
【００３９】
【図１】第１の実施形態を示す図
【図２】第１の実施形態において、使用の手順を示す図
【図３】第１の実施形態において、８字状となった状態を示す図
【図４】第１の実施形態において、新聞集積体を持ち上げる場面を示す図
【図５】第３の実施形態を示す図
【図６】第４の実施形態を示す図
【符号の説明】
【００４０】
１  帯状体
２ａ，２ｂ  面ファスナー
３ａ，３ｂ  面ファスナー
４  集積体
５ａ，５ｂ  面ファスナー
６  回動係止部  
【図１】
2007230636.tif 000003
【図２】
2007230636.tif 000004
【図３】
2007230636.tif 000005
【図４】
2007230636.tif 000006
【図５】
2007230636.tif 000007
【図６】
2007230636.tif 000008